(57)【要約】      （修正有）【課題】ケースへの取付作業を簡易化できるコネクタを提供する。【解決手段】電気接続箱１は、溝部にパッキン３の上端部を収納したコネクタ４を、接続部２２の取付孔２４にスナップフィット４３を挿通させてケース２に取り付けて構成される。コネクタ４のスナップフィット４３は、係止部の外周面を取付孔２４の内面に押圧されると溝部を縮幅させて外径を縮経させ、取付孔２４の下方に係止部を突出させる。接続部２２の下端面から下方に突出した係止部は、取付孔２４に挿通されてその上端面を取付孔２４の周縁に係止させる。コネクタ４に相手方のコネクタのハウジングが装着されると、その相手方コネクタの備える端子と外部接続用端子２ａとが接続され、ハウジング２１に内蔵された電子部品が外部接続される。【選択図】図１
2010003550.tif 000002
【特許請求の範囲】
【請求項１】
ケースに取り付けて用いられるコネクタであって、
前記コネクタの取り付けられた前記ケースの平坦面に突き合わせられる鍔部と、
前記鍔部に設けられて、前記平坦面に開口した取付孔に挿通される挿通部材と、
前記挿通部材に形成され、弾性変形することで外径を縮径させて前記取付孔に挿通された後、弾性復帰して前記取付孔の周縁に係止される係止部材とを備えることを特徴とするコネクタ。
【請求項２】
前記ケースの前記平坦面に相対向するように前記鍔部に形成され、前記コネクタ内に収容される部材を囲うように形成される溝と、
前記溝内に収容されるシール部材とを備えることを特徴とする請求項１に記載のコネクタ。
【発明の詳細な説明】
【技術分野】
【０００１】
本発明は、ケースに取り付けて用いられるコネクタに関する。
【背景技術】
【０００２】
下記の特許文献１に示すコネクタ組立体では、基板を収納するケースの開口に、コネクタの嵌込部を嵌め込んでコネクタをケースに押し当て、押し当てた箇所を超音波溶着することで、コネクタをケースに接合している。
【０００３】
【特許文献１】特開平８−２８７９９７号公報
【発明の開示】
【発明が解決しようとする課題】
【０００４】
超音波溶着を用いた上記特許文献１に記載のコネクタの取付構造では、接合後にケースとコネクタとの位置調整ができないことから、両者の位置決めを慎重に行う必要があり、取付作業に手間がかかった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、ケースに取り付けて用いられるコネクタであって、前記コネクタの取り付けられた前記ケースの平坦面に突き合わせられる鍔部と、前記鍔部に設けられて、前記平坦面に開口した取付孔に挿通される挿通部材と、前記挿通部材に形成され、弾性変形することで外径を縮径させて前記取付孔に挿通された後、弾性復帰して前記取付孔の周縁に係止される係止部材とを備えることを特徴とする。
また、本発明は、前記ケースの前記平坦面に相対向するように前記鍔部に形成され、前記コネクタ内に収容される部材を囲うように形成される溝と、前記溝内に収容されるシール部材とを備えることを特徴とする。
【発明の効果】
【０００７】
本発明によれば、コネクタの挿通部材をケースの取付孔に挿入すると、係止部材が取付孔の周縁に係止してコネクタがケースに固定されるので、コネクタのケースへの取付作業を簡易化できる。
【発明を実施するための最良の形態】
【０００８】
以下、図面を参照して、本発明の最良の形態を説明する。
図１は本実施形態の電気接続箱１の上方からの分解斜視図である。図２は、電気接続箱１が備えるコネクタ４の下方からの斜視図である。図３は、パッキン３及びコネクタ４をケース２に組み付けた電気接続箱１の上方からの斜視図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、電気接続箱１は、電子部品を収納するケース２と、ケース２の外部接続用端子２ａを収納するコネクタ４と、ケース２とコネクタ４との間をシールするパッキン３とを備えている。
【００１０】
ケース２は、四角箱状のハウジング２１と、ハウジング２１の前端面の下縁から前方に延出した接続部２２とを備えている。接続部２２の平坦な上面及び下面からは、外部接続用端子２ａが上下方向に延びている。接続部２２の上面から延びる外部接続用端子２ａは、前後に２列に並んで左右方向に配列されている。外部接続用端子２ａの配列位置の左右に位置する接続部２２の上面からは、信号送出のためのバスバー２３が上方に延びている。外部接続用端子２ａ及びバスバー２３の配設位置の前後及び左右の側方に位置する接続部２２には、後述するコネクタ４のスナップフィット４３の挿通される取付孔２４が形成されている。
【００１１】
コネクタ４は、略四角筒状の本体４１と、本体４１の下縁から本体４１の前後左右の側方へ鍔状に延びた取付部４２とを備えている。図２に示すように、取付部４２の平坦な下面には、取付部４２の内縁に沿って延びて環状を呈した溝部４２ａが設けられている。溝部４２ａには、パッキン３の上端部が収納される。溝部４２ａよりも外方に位置する取付部４２の前後及び左右の各辺部には、スナップフィット４３が設けられる。
【００１２】
スナップフィット４３は、取付部４２の下面から円筒状を呈して下方に延びており、先端部には係止部４４が備えられている。係止部４４は、スナップフィット４３の先端部を拡径させた後、先端側にかけてを徐々に縮経させて構成されている。係止部４４の先端部には、係止部４４の先端面から上方に延びて係止部４４を前後方向に２分する溝部４４ａが備えられている。係止部４４は、前後方向から外周面に力が働くと、溝部４４ａを縮幅させて弾性変形し、外径を縮経させる。
【００１３】
電気接続箱１は、溝部４２ａにパッキン３の上端部を収納したコネクタ４を、図３に示すように、接続部２２の取付孔２４にスナップフィット４３を挿通させてケース２に取り付けて構成される。コネクタ４のスナップフィット４３は、係止部４４の外周面を取付孔２４の内面に押圧されると溝部４４ａを縮幅させて外径を縮経させ、取付孔２４の下方に係止部４４を突出させる。接続部２２の下端面から下方に突出した係止部４４は、取付孔２４に挿通されてその上端面を取付孔２４の周縁に係止させる。ケース２は、スナップフィット４３の係止部４４と取付部４２の下端面とで取付部４２を挟み込んで、コネクタ４に固定される。コネクタ４に相手方のコネクタのハウジングが装着されると、その相手方コネクタの備える端子と外部接続用端子２ａとが接続され、ハウジング２１に内蔵された電子部品が外部接続される。
【００１４】
本実施形態によれば、コネクタ４のスナップフィット４３をケース２の取付孔２４に挿入すると、係止部４４が取付孔２４の周縁に係止してコネクタ４がケース２に固定されるので、コネクタ４のケース２への取付作業を簡易化できる。しかも、ケース２の接続部２２の平坦な上面に突き合わせられた取付部４２の下端面と、スナップフィット４３の係止部４４とで取付部４２を挟み込むことで、コネクタ４がケース２に位置決めされることから、ケース２に取り付けられたコネクタ４のケース２に対する位置ずれを抑えることもできる。また、平坦な接続部２２の上面と取付部４２の下端面とが突き合わせられることで、コネクタ４が接続部２２に支持されることから、接続部２２の上面に対するコネクタ４の傾きを抑えて、コネクタ４とケース２との間の位置ずれを抑えることができる。
【００１５】
また、本実施形態によれば、取付孔２４の周縁への係止部４４の係止によりコネクタ４がケース２に固着されるので、取付孔２４内でのスナップフィット４３の挿通位置を調整することで、ケース２に対するコネクタ４の取付位置の微調整もできる。
【００１６】
また、本実施形態によれば、取付孔２４から突出したスナップフィット４３の係止部４４を、溝部４４ａが縮幅する方向（前後方向）に摘んで係止部４４を縮径させ、又は、溝部４４ａが縮幅するように係止部４４を引き抜くという簡単な操作で、スナップフィット４３を取付孔２４から抜き出して、コネクタ４をケース２から取り外すこともできる。
【００１７】
また、本実施形態によれば、ケース２とコネクタ４との間に介装されたパッキン３の弾性力により、係止部４４が取付孔２４の周縁に押し付けられることで、ケース２に対するコネクタ４の取付位置のずれを抑えることができる。
【００１８】
上記実施形態では、係止部４４が溝部４４ａにより前後方向に２分されている場合について説明した。しかしながら、係止部４４の構成は、弾性変形することで外径を縮径させて取付孔２４に挿通された後、弾性復帰して取付孔２４の周縁に係止されるのであれば、任意である。例えば、前後左右方向に４分されていてもよい。また、スナップフィット４３の形状も任意であり、上記実施形態のように円筒状を呈している必要はない。また、コネクタ４のスナップフィット４３及びケース２の取付孔２４の数量も任意であり、４つずつである必要はない。また、上記実施形態では、ケース２とコネクタ４との間にパッキン３を介装させた場合について説明したが、パッキン３を備えない構成としてもよい。
【図面の簡単な説明】
【００１９】
【図１】本発明の一実施形態の電気接続箱の上方からの分解斜視図である。
【図２】図１に示す電気接続箱が備えるコネクタハウジングの下方からの斜視図である。
【図３】パッキン及びコネクタハウジングをケースに組み付けた電気接続箱の上方からの斜視図である。
【符号の説明】
【００２０】
１    電気接続箱
２    ケース
２ａ  外部接続用端子
２２  接続部
２４  取付孔（鍔部）
３    パッキン
４    コネクタ
４３  スナップフィット
４２  取付部
４４  係止部
４４ａ  溝部
【図１】
2010003550.tif 000003
【図２】
2010003550.tif 000004
【図３】
2010003550.tif 000005